(57)【要約】【課題】  使用感が良好になるとともに見栄えが良いイヤホンの提供。【解決手段】  イヤホン本体の左右方向外側壁の左右方向外面が、下方ほど装着者の左右方向中心側に近付く傾斜面とされ、装着状態でイヤホン本体の左右方向外側壁の左右方向外面をその正規姿勢とすることでコードのイヤホン本体への取付け部が耳の耳珠と耳垂との間の凹部に相当する部分の側方位置で垂下するよう構成されている構成のイヤホン。【選択図】  図３
2008028657.tif 000002
【特許請求の範囲】
【請求項１】
イヤホン本体の左右方向外側壁の左右方向外面が、下方ほど装着者の左右方向中心側に近付く傾斜面とされ、装着状態でイヤホン本体の左右方向外側壁の左右方向外面をその正規姿勢とすることでコードのイヤホン本体への取付け部が耳の耳珠と耳垂との間の凹部に相当する部分の側方位置で垂下するよう構成されていることを特徴とするイヤホン。
【請求項２】
イヤホン本体は左右方向同一断面の筒状に形成されており、イヤホン本体の左右方向外側壁が傾斜面を形成すべく傾斜されていることを特徴とする請求項１記載のイヤホン。
【請求項３】
傾斜面は平面であることを特徴とする請求項１または請求項２に記載のイヤホン。
【請求項４】
傾斜面に装飾が施されていることを特徴とする請求項１ないし請求項３の何れかに記載のイヤホン。
【請求項５】
左右方向外側壁の傾斜角度を調節する傾斜角度調節手段が設けられていることを特徴とする請求項１ないし請求項４の何れかに記載のイヤホン。
【請求項６】
傾斜面は、イヤホン本体の左右方向外側縁部から左右方向中心側へ位置ずれして配置されていることを特徴とする請求項１ないし請求項５の何れかに記載のイヤホン。
【請求項７】
コードのイヤホン本体への接続部に補強部材が外装され、イヤホン本体とコードとは補強部材を介して取付けられていることを特徴とする請求項１ないし請求項６の何れかに記載のイヤホン。
【請求項８】
耳挿入型イヤホンであって、左右方向同一断面の筒状に形成されたイヤホン本体が設けられ、イヤホン本体の左右方向外側面を形成する側壁が、下方ほど装着者の左右方向中心側に近付く傾斜面とされ、傾斜面の最下端部の近傍から左右方向中心側へ位置ずれしたイヤホン本体の下部にコードが垂直に垂下するよう接続されており、装着時にイヤホン本体の左右方向外側壁の左右方向外面をその正規姿勢とすることでコードが前方斜め下方に垂下される構成とされていることを特徴とするイヤホン。
【発明の詳細な説明】
【技術分野】
【０００１】
本発明は、録音再生装置等に接続されるイヤホンに関する。
【背景技術】
【０００２】
録音再生装置等に接続されるイヤホンとして、下記特許文献１に示すものがある。これは、イヤホン本体の左右方向外側面が、下方ほど装着者の左右方向中心側に近付く傾斜面とされており、傾斜面の下端部から左右方向外方へ湾曲して垂下するようコードが本体に接続されている。
【特許文献１】特開２０００−２５３４７８号公報
【発明の開示】
【発明が解決しようとする課題】
【０００３】
近年、イヤホンでは、装着した際の使用感や見栄えの向上が求められている。しかしながら上記従来の特許文献等に記載されたイヤホンでは、その形状とコードとの関係において、使用感や見栄えの向上は考慮されていなかった。
【０００４】
そこで本発明は、上記課題に鑑み、使用感が良好になるとともに見栄えが良いイヤホンの提供を目的とする。
【課題を解決するための手段】
【０００５】
本発明のイヤホンは、イヤホン本体の左右方向外側壁の左右方向外面が、下方ほど装着者の左右方向中心側に近付く傾斜面とされ、装着状態でイヤホン本体の左右方向外側壁の左右方向外面をその正規姿勢とすることでコードのイヤホン本体への取付け部が耳の耳珠と耳垂との間の凹部に相当する部分の側方位置で垂下するよう構成されていることを特徴としている。
【０００６】
上記構成のイヤホンにおいて、イヤホンを、イヤホン本体の左右方向外側壁の左右方向外面をその正規姿勢となるようにして耳に装着すると、コードが装着者の耳の耳珠と耳垂との間の凹部の側方位置で垂下されるようになるから、コードが直接的に耳の凹部に接触しにくくなって良好な使用感が得られことになり、しかもイヤホン本体の左右方向外側壁の左右方向外面が、下方ほど装着者の左右方向中心側に近付く傾斜面とされているから、傾斜面が耳の前後方向の傾斜に沿うようになって、装着時の見栄えが良好になる。
【０００７】
前記イヤホン本体の正規姿勢とは、種々の形状に選択可能なイヤホン本体の形状を、装着時に側面視して直ちにその形状の特徴を把握できる姿勢を意味する。正規姿勢とするということは、装着者が意識をもってそのようにすることであり、本発明ではコードの取付け部を耳の耳珠と耳垂との間の凹部に相当する部分の側方位置で垂下するように調節することで、自ずとイヤホン本体が正規姿勢となるようイヤホン本体の側面視形状とコードの取付け位置とが関係付けられている。
【０００８】
本発明のイヤホンでは、イヤホン本体は左右方向同一断面の筒状に形成されており、イヤホン本体の左右方向外側壁が傾斜面を形成すべく傾斜されていることを特徴としている。
【０００９】
上記構成によれば、イヤホン本体の形状がシンプルになるから製造が容易であり、また傾斜面はその斜距離分だけイヤホン本体の断面積に比べて大きな面積を確保することができる。
【００１０】
本発明のイヤホンでは、傾斜面は平面であることを特徴としており、平面を形成することは容易だから、イヤホンの製造がその分だけ容易となる。
【００１１】
本発明のイヤホンは、傾斜面に装飾が施されていることを特徴としている。傾斜面に図柄や飾り等の装飾を施すことにより、見栄えの向上に寄与し、特に傾斜面が平面であれば、装飾が施しやすい。
【００１２】
本発明のイヤホンでは、左右方向外側壁の傾斜角度を調節する傾斜角度調節手段が設けられていることを特徴としている。左右方向外側壁の傾斜角度を調節することで変更することにより、装着者の耳、あるいは顔の輪郭に対してよく映えるイヤホンの使用状態とすることが可能になる。
【００１３】
本発明のイヤホンでは、傾斜面は、イヤホン本体の左右方向外側縁部から左右方向中心側へ位置ずれして配置されていることを特徴としている。
【００１４】
上記構成によれば、傾斜面に立体的な装飾を施す場合では、その装飾の一部がイヤホン本体の左右方向外側縁部で隠されて大きく外方へ突出するのが抑えられるから、見栄えの低下を防止することができる。
【００１５】
本発明のイヤホンは、コードのイヤホン本体への接続部に補強部材が外装され、イヤホン本体とコードとは補強部材を介して取付けられていることを特徴としている。
【００１６】
上記構成において、コードはイヤホン本体の下部に垂直に垂下しているが、イヤホン本体を正規姿勢として耳に装着すると、コードの取付け部は前方斜め下方に垂下されることになるが、コードを、補強部材を介してイヤホン本体に接続することで、コードの繰返しの曲げ使用に長期的に耐え得る。
【００１７】
本発明のイヤホンは、耳挿入型イヤホンであって、左右方向同一断面の筒状に形成されたイヤホン本体が設けられ、イヤホン本体の左右方向外側面を形成する側壁が、下方ほど装着者の左右方向中心側に近付く傾斜面とされ、傾斜面の最下端部の近傍から左右方向中心側へ位置ずれしたイヤホン本体の下部にコードが垂直に垂下するよう接続されており、装着時にイヤホン本体の左右方向外側壁の左右方向外面をその正規姿勢とすることでコードが前方斜め下方に垂下される構成とされていることを特徴としている。
【００１８】
上記構成のイヤホンにおいて、イヤホンを耳に挿入した際に、イヤホン本体の左右方向外側壁の左右方向外面をその正規姿勢となるようにすると、コードが装着者の耳の耳珠と耳垂との間の凹部の側方位置で前方斜め下方に垂下されるようになる（コードが装着者の耳の耳珠と耳垂との間の凹部の側方位置で前方斜め下方に垂下されるよう装着するとイヤホン本体が正規姿勢となる）から、コードが直接的に耳の凹部に接触しにくくなって良好な使用感が得られことになり、しかもコードは装着者の耳に対して側方に突出することなくイヤホン本体の左右方向外側壁の左右方向外面が、下方ほど装着者の左右方向中心側に近付く傾斜面とされているから、傾斜面が耳の前後方向の傾斜に沿うようになって、装着時の見栄えが良好になる。
【発明の効果】
【００１９】
本発明のイヤホンによれば、イヤホンを、イヤホン本体の左右方向外側壁の左右方向外面をその正規姿勢となるようにして耳に装着すると、コードが装着者の耳の耳珠と耳垂との間の凹部の側方位置で垂下されるようになるから、コードが直接的に耳の凹部に接触しにくくなって良好な使用感が得られことになり、しかもイヤホン本体の左右方向外側壁の左右方向外面が、下方ほど装着者の左右方向中心側に近付く傾斜面とされているから、傾斜面が耳の前後方向の傾斜に沿うようになって、装着時の見栄えを良好にすることができる。
【発明を実施するための最良の形態】
【００２０】
以下、本発明の実施形態に係るイヤホンを、耳挿入型イヤホンを例に、図面に基づいて説明する。図１は本発明の実施形態を示すイヤホンの全体構成を示す斜視図、図２は同じくイヤホンの全体構成を示す底面図、図３は同じくイヤホンの縦断正面図、図４は同じくイヤホンの側面図、図５は同じくイヤホンの着用状態を示す斜視図である。なお、これらの図では着用者の右耳に装着するイヤホンのみを示しているが、左耳に装着するイヤホンについては、左右の構造が対称構造となるだけであるので、以下の実施形態では右耳に装着するイヤホンの説明をもって、左耳に装着するイヤホンの構成、作用効果の説明を兼用するものとする。
【００２１】
これらの図に示すように、イヤホン１は、イヤホン本体２と、耳挿入部３と、不図示の録音再生装置等に接続されるコード４とを有する。イヤホン本体２は、装飾性を付与すべく特定の形状に形成され、しかも耳１７の外耳道１８に挿入できない形状（大きさ）に形成されている。すなわちこの場合、イヤホン本体２は、断面（側面視）ハート形状に形成された外周壁５と、左右方向内側壁６と、左右方向外側壁７とを有して中抜き筒状に形成されている。
【００２２】
外周壁５は、左右方向（軸心方向）に同一断面に形成されている。但し、外周壁５の左右方向外側端面は、その下方ほどイヤホン１の装着者８の左右方向中心側に近付く傾斜端面１０とされている。左右方向内側壁６は、外周壁５の左右方向内側端部に一体的に形成されており、外周壁５の軸心１１に垂直な方向に沿うよう形成されている。また、外周壁５の左右方向長さは、イヤホン１を装着者８の耳１７に装着した際に、左右方向外側壁７が耳１７から大きく突出せず、ほぼ耳１７の輪郭１７ｄ（図５において、太線の実線で示す）からは大きく突出しない長さに設定されている。
【００２３】
左右方向内側壁６の一部はさらに内側に突出するように前記耳挿入部３が一体的に形成されている。耳挿入部３は外周壁５に比べて小径の筒状に形成されており、軸方向途中に径方向内方に窪む段付きの環状凹部１２が形成され、この環状凹部１２に合成ゴム製の装着具１３が取付けられている。この装着具１３は環状凹部１２に径方向外方から外嵌するように取付けられる環状の嵌合部１４と、嵌合部１４から左右方向内側に延びた内径側筒部１５と、内径側筒部１５をその径方向外方で覆う外径側被覆部１６とを有する。イヤホン１を装着者８の耳１７に装着する際は、外径側被覆部１６が耳１７の外耳道１８に嵌るようにして装着する。
【００２４】
左右方向外側壁７は、少なくともその左右方向外側面が、下方ほど装着者８、すなわち人体の左右方向中心側に近付く傾斜面２０とされており、しかも傾斜面２０は、その外周形状が外周壁５の外周形状と同一形状となるよう、この場合はいわゆるハート形状をなすように形成されている。このハート形状のイヤホン本体２は、上面中心に下方へ窪む凹条２ａが形成されており、側面視して左右対称形状となっている。この実施形態では凹条２ａが上に位置した状態が、ハート形状を直ちに把握できる正規姿勢である。図３において、傾斜面２０は、前記軸心１１を水平にした状態で、この軸心１１に垂直な仮想面１１ａに対して、左右方向中心側に傾斜角度θ１だけ傾斜している。この傾斜角度θ１としては、１０°〜３０°が好ましい。
【００２５】
このような左右方向外側壁７は、外周壁５とは別体に形成されて、しかも外周壁５に一体となるよう外周壁５に組込まれる構成を有している。すなわち左右方向外側壁７は、外周壁５の左右方向外側内周面に嵌合する環状の嵌合部７ａと、この嵌合部７ａの左右方向外側に一体的に形成されて前記傾斜面２０を有する壁体部２２とを有する。嵌合部７ａの延出方向は軸心方向であり、壁体部２２は嵌合部７ａの延出方向に対して傾斜端面１０（傾斜面２０）と同一の角度だけ同方向に傾斜している。
【００２６】
前述のように外周壁５の左右方向外側端面は、その下方ほどイヤホン１の装着者８の左右方向中心側に近付く傾斜端面１０と同一の角度だけ傾斜しているから、嵌合部１４を外周壁５の左右方向外側内周面に嵌合することで、傾斜面２０が傾斜端面１０と沿うように傾斜した状態になっている。傾斜端面１０の最も左右方向中心側に近付いている部位、すなわち最も奥まった部位は、ハート形状に投影させた場合そのハート形状の下部で、しかも前部に相当する部位である。
【００２７】
壁体部２２の左右方向外側縁２３は、わずかにさらに外側に突出するよう形成されている。すなわち傾斜面２０は左右方向外側縁２３よりもその突出分だけわずかに左右方向外側縁部から左右方向内側に奥まった位置に配置されている。このような傾斜面２０は、イヤホン１を耳１７に装着して耳１７を正面視した際に、その最も左右方向中心側から最も左右方向外側を連ねた仮想平面にほぼ収まる程度に傾斜していることが好ましい。
【００２８】
傾斜面２０は平面に形成され、その表面に接着剤が塗布された接着剤層２４が形成されて、この接着剤層２４に装飾が施されている。この場合、装飾としてクリスタルガラス等をダイヤモンドカットしたファッション・ジュエリー２５を散りばめて接着剤層２４に接着している。
【００２９】
傾斜面２０の最下端部からイヤホン本体２の外形に一方に沿って上方に位置ずれし、且つ傾斜面２０から左右方向中心側へ位置ずれした外周壁５の部分にコード４が垂直に垂下するよう接続されている。外周壁５に、コード４をイヤホン本体２に接続するための装着孔２６が形成され、コード４における接続側端部２７に補強部材２８が外装され、コード４における接続側端部２７は、補強部材２８を介して取付けられている。補強部材２８は、コード４の接続側端部２７が挿通される挿通孔３０を中心に有して、外周面に外周壁５に下方から当接する段付き面３１を有する。補強部材２８は例えば合成ゴムにより形成されている。なお、図４では、コード４は傾斜面２０の最下端部Ｐ（すなわち左右方向中心側に最も近い位置）を垂直方向Ｖと水平方向Ｈとの略中間位置に位置させた姿勢でコード４（その中心）が垂直に垂下するよう接続した場合を示している。
【００３０】
コード４は、図４において垂直方向Ｖから時計方向（凹条２ａから離れる方向）に、傾斜角度θ２の範囲だけ周方向に位置ずれさせてコード４（その取付け部）をイヤホン本体２に取付けるようにしてもよい。なお、傾斜角度θ２としては６０°の範囲内が好ましい。あるいは、コード４は、最下端部Ｐから時計方向へ３０〜１００°の範囲内であれば、イヤホン本体２の側面視形状を直ちに把握でき、しかもコード４が装着者８の耳１７に接触することも少なくすることができ、装着感の良好性を維持できる。
【００３１】
上記構成において、イヤホン１は、その装着具１３における外径側被覆部１６を装着者８の耳１７の外耳道１８に嵌るように装着して使用するものである。外径側被覆部１６は薄手の合成ゴムで形成することにより、これを外耳道１８に挿入すると外径側被覆部１６は変形して挿入され、しかもその弾性で外耳道１８の外周皮膚を押圧することになり、また合成ゴムの摩擦係数によって、外耳道１８から抜けにくくなる。
【００３２】
イヤホン１を耳１７に装着する場合、ハート形状が正規姿勢であるか否かを気にすることなく、コード４の取付け部が耳１７における耳珠１７ａと耳垂１７ｂとの間の下方へ窪む凹部１７ｃの側方を垂下するようにして装着すると、イヤホン本体２の凹条２ａが上方となった正規姿勢となるようになっている。したがって、ハート形状が正規姿勢となっているか否かに気を使うことなくイヤホン１を正規姿勢とすることができるから、イヤホン本体２が装飾性を有していても、その方向を考慮することなく装着してもイヤホン本体２が有するその形状の装飾性を生かして、しかも装着性を向上させることができる。
【００３３】
また、コード４の取付け部が耳１７における耳珠１７ａと耳垂１７ｂとの間の下方へ窪む凹部１７ｃの側方を斜め下方に垂下するようにして装着すると、コード４の取付け部分あるいはその近傍が凹部１７ｃを隠すようになる。このため、コード４が耳１７に直接的に接触する場合が少なくなるから、イヤホン１を快適に装着することができる。
【００３４】
また、外周壁５の左右方向長さは、イヤホン１を装着者８の耳１７に装着した際に、後述の左右方向外側壁７が耳１７から大きく突出せず、ほぼ耳１７の輪郭１７ｄからは大きく突出しない長さに設定されており、傾斜面２０は、イヤホン１を耳１７に装着して耳１７を正面視した際に、その最も左右方向中心側から最も左右方向外側を連ねた仮想平面にほぼ収まるようになっているから、外観において違和感なく耳１７にしっくり装着された状態に観てとることができる。
【００３５】
さらに、前述のようにハート形状が側面視した際に傾いていないようにイヤホン１を耳１７に装着されると、傾斜面２０は、その後方が左右方向外方へ傾斜した状態となっており、一般的に耳１７もその全体を顔の正面側から観たとき、後方が左右上方向外方へ向けて傾斜している状態となるから、傾斜面２０の傾斜方向と耳１７の傾斜方向とがほぼ合致することになる。
【００３６】
これらのことから、イヤホン１を耳１７に装着した際に、外観上違和感がなく見栄えが向上する。さらに、傾斜面２０には装飾が施してあり、この場合、装飾として立体的なファッション・ジュエリー２５を散りばめてあり、この装飾は、側面側から観てとることができるが、傾斜面２０の後方が左右上方向外方へ向けて傾斜しているから、正面側からも観てとることができ、その分だけいっそう見栄えが向上する。
【００３７】
図６および図７は、イヤホン１の別の実施形態を示す図で、図６は正面図、図７は全体断面図である。このイヤホン１のイヤホン本体２はその左右方向外側部の形状が、半球形状とされており、イヤホン本体２の左右方向外側端面が前方ほど装着者８の中心側に傾斜する傾斜面２０とされている。しかも傾斜面２０は正面視して下方側が装着者８の中心側に傾斜するよう形成している。
【００３８】
傾斜面２０の下端もしくはその近傍から中心側に位置ずれしてイヤホン本体２の左右方向内側にコード４の取付け部が左右方向外側下方に向けて斜め方向に取付けられている。この場合、傾斜面２０に、装飾としてクリスタルガラス等をダイヤモンドカットしたファッション・ジュエリー２５を散りばめている。イヤホン本体２の左右方向内側部は円筒状に形成されて、段付き部２ｂを介して左右方向外側部と組合わされている。
【００３９】
この実施形態におけるイヤホン本体２の正規姿勢とは、傾斜面２０の最も左右方向内側部位が前方に位置する姿勢である。そして装着時に、コード４の取付け部が耳１７における耳珠１７ａと耳垂１７ｂとの間の凹部１７ｃの側方に垂下するようにすれば、コード４の取付け部が左右方向外側下方に向けて斜め方向に取付けられているから、イヤホン１の装着時に装着者８の耳１７に接触するのをできるだけ回避することができるから、装着時の不快感を回避できる。
【００４０】
また、イヤホン本体２の左右方向外側端面が前方ほど装着者８の中心側に傾斜する傾斜面２０とされているから、イヤホン１をイヤホン本体２が正規姿勢となるようにして耳１７に装着するようにすれば、傾斜面２０が耳１７の前後方向の傾斜に沿うようになり、外観上違和感がなく見栄えが向上するようになる。さらに、傾斜面２０は正面視して下方側が装着者８の中心側に傾斜するよう形成しているから、傾斜面２０が耳１７の上下方向の傾斜に沿うようになるから、この点の構成についても、見栄えの向上に寄与するようになる。他の構成は上記実施形態と同様であるので、同一の符号を付してその説明を省略する。そしてこの実施形態においても、上記実施形態と同様の作用効果を奏し得る。
【００４１】
図１ないし図５に示した実施形態において、イヤホン本体２の形状として、側面視してハート形状、クローバ形状等が考えられるが、何れにしても、コード４の取付け部を耳１７における耳珠１７ａと耳垂１７ｂとの間の凹部１７ｃの側方に垂下するようにして装着すれば、イヤホン本体２の側面視形状を直ちに把握できるようにイヤホン本体２とコード４との位置関係を設定しておけば、そのイヤホン本体２の形状を考慮することなく見栄えを良好にした上で楽に装着することができる。
【図面の簡単な説明】
【００４２】
【図１】本発明の実施形態を示すイヤホンの全体構成を示す斜視図
【図２】同じくイヤホンの全体構成を示す底面図
【図３】同じくイヤホンの縦断正面図
【図４】同じくイヤホンの側面図
【図５】同じくイヤホンの着用状態を示す斜視図
【図６】他の実施形態を示すイヤホンの正面図
【図７】同じくイヤホンの縦断正面図
【符号の説明】
【００４３】
１…イヤホン、２…イヤホン本体、２ａ…凹条、３…耳挿入部、４…コード、５…外周壁、６…左右方向内側壁、７…左右方向外側壁、８…装着者、１７…耳、１０…傾斜端面、１１…軸心、１３…装着具、１８…外耳道、２０…傾斜面、２２…壁体部、２３…左右方向外側縁、２４…接着剤層、２６…装着孔、２８…補強部材
【図１】
2008028657.tif 000003
【図２】
2008028657.tif 000004
【図３】
2008028657.tif 000005
【図４】
2008028657.tif 000006
【図５】
2008028657.tif 000007
【図６】
2008028657.tif 000008
【図７】
2008028657.tif 000009
【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
イヤホン本体と、該イヤホン本体に接続されたコードとを有し、
前記イヤホン本体は、その左右方向外側端面が傾斜面であって該イヤホン本体を装着者の耳にその前後方向の傾斜に沿うよう前方ほど装着者の中心側に向けて傾斜するよう装着した姿勢を正規姿勢とするもので、しかも前記コードは、イヤホン本体を正規姿勢で耳に装着した際に装着者の前方斜め下方に向けて垂下されるようイヤホン本体に設けられていることを特徴とするイヤホン。
【請求項２】
イヤホン本体は左右方向同一断面の筒状に形成されており、イヤホン本体の左右方向外側壁が傾斜面を形成すべく傾斜されていることを特徴とする請求項１記載のイヤホン。
【請求項３】
傾斜面は平面であることを特徴とする請求項１または請求項２に記載のイヤホン。
【請求項４】
傾斜面に装飾が施されていることを特徴とする請求項１ないし請求項３の何れかに記載のイヤホン。
【請求項５】
コードのイヤホン本体への接続部に補強部材が外装され、イヤホン本体とコードとは補強部材を介して取付けられていることを特徴とする請求項１ないし請求項４の何れかに記載のイヤホン。
【請求項６】
耳挿入型イヤホンであって、左右方向同一断面の筒状に形成されたイヤホン本体と、該イヤホン本体に接続されたコードとを有し、前記イヤホン本体は、その左右方向外側端面が傾斜面であって該イヤホン本体を装着者の耳にその前後方向の傾斜に沿うよう前方ほど装着者の中心側に向けて傾斜するよう装着した姿勢を正規姿勢とするもので、しかも前記コードは、イヤホン本体を正規姿勢で耳に装着した際に装着者の前方斜め下方に向けて垂下されるようイヤホン本体に設けられていることを特徴とするイヤホン。
【手続補正２】
【補正対象書類名】明細書
【補正対象項目名】全文
【補正方法】変更
【補正の内容】
【発明の詳細な説明】
【技術分野】
【０００１】
本発明は、録音再生装置等に接続されるイヤホンに関する。
【背景技術】
【０００２】
録音再生装置等に接続されるイヤホンとして、下記特許文献１に示すものがある。これは、イヤホン本体の左右方向外側面が、下方ほど装着者の左右方向中心側に近付く傾斜面とされており、傾斜面の下端部から左右方向外方へ湾曲して垂下するようコードが本体に接続されている。
【特許文献１】特開２０００−２５３４７８号公報
【発明の開示】
【発明が解決しようとする課題】
【０００３】
近年、イヤホンでは、装着した際の使用感や見栄えの向上が求められている。しかしながら上記従来の特許文献等に記載されたイヤホンでは、その形状とコードとの関係において、使用感や見栄えの向上は考慮されていなかった。
【０００４】
そこで本発明は、上記課題に鑑み、使用感が良好になるとともに見栄えが良いイヤホンの提供を目的とする。
【課題を解決するための手段】
【０００５】
本発明のイヤホンは、イヤホン本体と、該イヤホン本体に接続されたコードとを有し、前記イヤホン本体は、その左右方向外側端面が傾斜面であって該イヤホン本体を装着者の耳にその前後方向の傾斜に沿うよう前方ほど装着者の中心側に向けて傾斜するよう装着した姿勢を正規姿勢とするもので、しかも前記コードは、イヤホン本体を正規姿勢で耳に装着した際に装着者の前方斜め下方に向けて垂下されるようイヤホン本体に設けられていることを特徴としている。
【０００６】
上記構成のイヤホンにおいて、イヤホン本体の左右方向外側端面が装着者の耳の前後方向の傾斜に沿うよう前方ほど装着者の中心側に向けて傾斜するようにして装着するとイヤホンの姿勢が正規姿勢となり、このようにイヤホン本体を正規姿勢となるよう耳に装着すると、コードは装着者の前方斜め下方に向けて垂下されることになる。逆に、コードが装着者の前方斜め下方に向けて垂下されるよう耳に装着することで、イヤホン本体は正規姿勢となる。
【０００７】
前記イヤホン本体の正規姿勢とは、種々の形状に選択可能なイヤホン本体の形状を、装着時に側面視して直ちにその形状の特徴を把握できる姿勢を意味する。正規姿勢とするということは、装着者が意識をもってそのようにすることであり、本発明のイヤホンでは、装着者が、コードが装着者の前方斜め下方に向けて垂下されるようにしてイヤホン本体を耳に装着することで、イヤホン本体が正規姿勢となるようイヤホン本体の側面視形状とコードの取付け位置とが関係付けられている。
また、イヤホンの前方とは、イヤホン本体を装着者がその耳に装着した際に傾斜面の最端部側が最も装着者の中心側に近づく部位であり、装着者の中心側とは、すなわち人体の左右方向中心側である。
【０００８】
本発明のイヤホンでは、イヤホン本体は左右方向同一断面の筒状に形成されており、イヤホン本体の左右方向外側壁が傾斜面を形成すべく傾斜されていることを特徴としている。
【０００９】
上記構成によれば、イヤホン本体の形状がシンプルになるから製造が容易であり、また傾斜面はその斜距離分だけイヤホン本体の断面積に比べて大きな面積を確保することができる。
【００１０】
本発明のイヤホンでは、傾斜面は平面であることを特徴としており、平面を形成することは容易だから、イヤホンの製造がその分だけ容易となる。
【００１１】
本発明のイヤホンは、傾斜面に装飾が施されていることを特徴としている。傾斜面に図柄や飾り等の装飾を施すことにより、見栄えの向上に寄与し、特に傾斜面が平面であれば、装飾が施しやすい。
【００１２】
本発明のイヤホンは、コードのイヤホン本体への接続部に補強部材が外装され、イヤホン本体とコードとは補強部材を介して取付けられていることを特徴としている。
【００１３】
上記構成において、コードはイヤホン本体の下部に垂直に垂下しているが、イヤホン本体を正規姿勢として耳に装着すると、コードの取付け部は前方斜め下方に垂下されることになるが、コードを、補強部材を介してイヤホン本体に接続することで、コードの繰返しの曲げ使用に長期的に耐え得る。
【００１４】
本発明のイヤホンは、耳挿入型イヤホンであって、左右方向同一断面の筒状に形成されたイヤホン本体と、該イヤホン本体に接続されたコードとを有し、前記イヤホン本体は、その左右方向外側端面が傾斜面であって該イヤホン本体を装着者の耳にその前後方向の傾斜に沿うよう前方ほど装着者の中心側に向けて傾斜するよう装着した姿勢を正規姿勢とするもので、しかも前記コードは、イヤホン本体を正規姿勢で耳に装着した際に装着者の前方斜め下方に向けて垂下されるようイヤホン本体に設けられていることを特徴としている。
【００１５】
上記構成のイヤホンにおいて、イヤホン本体の左右方向外側端面が装着者の耳の前後方向の傾斜に沿うよう前方ほど装着者の中心側に向けて傾斜するようにして装着するとイヤホンの姿勢が正規姿勢となり、イヤホン本体を正規姿勢となるよう耳に装着すると、コードは装着者の前方斜め下方に向けて垂下されることになる。
【発明の効果】
【００１６】
本発明のイヤホンによれば、イヤホンを、イヤホン本体の左右方向外側壁の左右方向外面をその正規姿勢となるようにして耳に装着すると、コードが装着者の耳の耳珠と耳垂との間の凹部の側方位置で垂下されるようになるから、コードが直接的に耳の凹部に接触しにくくなって良好な使用感が得られことになり、しかもイヤホン本体の左右方向外側壁の左右方向外面が、前方ほど装着者の左右方向中心側に近付く傾斜面とされているから、傾斜面が耳の前後方向の傾斜に沿うようになって、装着時の見栄えを良好にすることができる。
【発明を実施するための最良の形態】
【００１７】
以下、本発明の実施形態に係るイヤホンを、耳挿入型イヤホンを例に、図面に基づいて説明する。図１は本発明の実施形態を示すイヤホンの全体構成を示す斜視図、図２は同じくイヤホンの全体構成を示す底面図、図３は同じくイヤホンの縦断正面図、図４は同じくイヤホンの側面図、図５は同じくイヤホンの着用状態を示す斜視図である。なお、これらの図では着用者の右耳に装着するイヤホンのみを示しているが、左耳に装着するイヤホンについては、左右の構造が対称構造となるだけであるので、以下の実施形態では右耳に装着するイヤホンの説明をもって、左耳に装着するイヤホンの構成、作用効果の説明を兼用するものとする。
【００１８】
これらの図に示すように、イヤホン１は、イヤホン本体２と、耳挿入部３と、不図示の録音再生装置等に接続されるコード４とを有する。イヤホン本体２は、装飾性を付与すべく特定の形状に形成され、しかも耳１７の外耳道１８に挿入できない形状（大きさ）に形成されている。すなわちこの場合、イヤホン本体２は、断面（側面視）ハート形状に形成された外周壁５と、左右方向内側壁６と、左右方向外側壁７とを有して中抜き筒状に形成されている。
【００１９】
外周壁５は、左右方向（軸心方向）に同一断面に形成されている。但し、外周壁５の左右方向外側端面は、その前方ほどイヤホン１の装着者８の左右方向中心側（人体の左右方向中心側）に近付く傾斜端面１０とされている。左右方向内側壁６は、外周壁５の左右方向内側端部に一体的に形成されており、外周壁５の軸心１１に垂直な方向に沿うよう形成されている。また、外周壁５の左右方向長さは、イヤホン１を装着者８の耳１７に装着した際に、左右方向外側壁７が耳１７から大きく突出せず、ほぼ耳１７の輪郭１７ｄ（図５において、太線の実線で示す）からは大きく突出しない長さに設定されている。
【００２０】
左右方向内側壁６の一部はさらに内側に突出するように前記耳挿入部３が一体的に形成されている。耳挿入部３は外周壁５に比べて小径の筒状に形成されており、軸方向途中に径方向内方に窪む段付きの環状凹部１２が形成され、この環状凹部１２に合成ゴム製の装着具１３が取付けられている。この装着具１３は環状凹部１２に径方向外方から外嵌するように取付けられる環状の嵌合部１４と、嵌合部１４から左右方向内側に延びた内径側筒部１５と、内径側筒部１５をその径方向外方で覆う外径側被覆部１６とを有する。イヤホン１を装着者８の耳１７に装着する際は、外径側被覆部１６が耳１７の外耳道１８に嵌るようにして装着する。
【００２１】
左右方向外側壁７は、少なくともその左右方向外側面が、前方ほど装着者８、すなわち人体の左右方向中心側に近付く傾斜面２０とされており、しかも傾斜面２０は、その外周形状が外周壁５の外周形状と同一形状となるよう、この場合はいわゆるハート形状をなすように形成されている。このハート形状のイヤホン本体２は、上面中心に下方へ窪む凹条２ａが形成されており、側面視して左右対称形状となっている。この実施形態では凹条２ａが上（耳の上下方向における上）に位置した状態が、ハート形状を直ちに把握できる正規姿勢である。図３において、傾斜面２０は、前記軸心１１を水平にした状態で、この軸心１１に垂直な仮想面１１ａに対して、左右方向中心側に傾斜角度θ１だけ傾斜している。この傾斜角度θ１としては、１０°〜３０°が好ましい。
【００２２】
このような左右方向外側壁７は、外周壁５とは別体に形成されて、しかも外周壁５に一体となるよう外周壁５に組込まれる構成を有している。すなわち左右方向外側壁７は、外周壁５の左右方向外側内周面に嵌合する環状の嵌合部７ａと、この嵌合部７ａの左右方向外側に一体的に形成されて前記傾斜面２０を有する壁体部２２とを有する。嵌合部７ａの延出方向は軸心方向であり、壁体部２２は嵌合部７ａの延出方向に対して傾斜端面１０（傾斜面２０）と同一の角度だけ同方向に傾斜している。
【００２３】
嵌合部１４を外周壁５の左右方向外側内周面に嵌合することで、傾斜面２０が傾斜端面１０と沿うように傾斜した状態になっている。傾斜端面１０の最も左右方向中心側に近付いている部位、すなわち最も奥まった部位は、ハート形状に投影させた場合そのハート形状の前部である。
【００２４】
壁体部２２の左右方向外側縁２３は、わずかにさらに外側に突出するよう形成されている。すなわち傾斜面２０は左右方向外側縁２３よりもその突出分だけわずかに左右方向外側縁部から左右方向内側に奥まった位置に配置されている。このような傾斜面２０は、イヤホン１を耳１７に装着して耳１７を正面視した際に、その最も左右方向中心側から最も左右方向外側を連ねた仮想平面にほぼ収まる程度に傾斜していることが好ましい。
【００２５】
傾斜面２０は平面に形成され、その表面に接着剤が塗布された接着剤層２４が形成されて、この接着剤層２４に装飾が施されている。この場合、装飾としてクリスタルガラス等をダイヤモンドカットしたファッション・ジュエリー２５を散りばめて接着剤層２４に接着している。
【００２６】
傾斜面２０の最前端部Ｐからイヤホン本体２の外形に一方に沿って位置ずれした外周壁５の部分にコード４が垂直に垂下するよう接続されている。イヤホン本体２の外周壁５に、コード４をイヤホン本体２に接続するための装着孔２６が形成され、コード４における接続側端部２７に補強部材２８が外装され、コード４における接続側端部２７は、補強部材２８を介して取付けられている。補強部材２８は、コード４の接続側端部２７が挿通される挿通孔３０を中心に有して、外周面に外周壁５に下方から当接する段付き面３１を有する。補強部材２８は例えば合成ゴムにより形成されている。なお、図４では、コード４は傾斜面２０の最前端部Ｐ（すなわち左右方向中心側に最も近い位置）を垂直方向Ｖと水平方向Ｈとの略中間位置に位置させた姿勢でコード４（その中心）が垂直に垂下するよう接続した場合を示している。
【００２７】
コード４は、図４において垂直方向Ｖから時計方向（凹条２ａから離れる方向）に、傾斜角度θ２の範囲だけ周方向に位置ずれさせてコード４（その取付け部）をイヤホン本体２に取付けるようにしてもよい。なお、傾斜角度θ２としては６０°の範囲内が好ましい。  
【００２８】
上記構成において、イヤホン１は、その装着具１３における外径側被覆部１６を装着者８の耳１７の外耳道１８に嵌るように装着して使用するものである。外径側被覆部１６は薄手の合成ゴムで形成することにより、これを外耳道１８に挿入すると外径側被覆部１６は変形して挿入され、しかもその弾性で外耳道１８の外周皮膚を押圧することになり、また合成ゴムの摩擦係数によって、外耳道１８から抜けにくくなる。
【００２９】
イヤホン１を耳１７に装着する場合、コード４が斜め前方に垂下するように装着する（コード４の取付け部が耳１７における耳珠１７ａと耳垂１７ｂとの間の下方へ窪む凹部１７ｃの側方を垂下するようにして装着する）と、ハート形状のイヤホン本体２の凹条２ａが上方となった正規姿勢となるようになっているから、装着者はイヤホン本体３が正規姿勢であるか否かを確認する必要がない。また、イヤホン本体２が装飾性を有していても、その方向を考慮することなく装着してもイヤホン本体２が有するその形状の装飾性を生かして、しかも装着性を向上させることができる。
【００３０】
また、コード４の取付け部が耳１７における耳珠１７ａと耳垂１７ｂとの間の下方へ窪む凹部１７ｃの側方を斜め下方に垂下するようにして装着すると、コード４の取付け部分あるいはその近傍が凹部１７ｃを隠すようになる。このため、コード４が耳１７に直接的に接触する場合が少なくなるから、イヤホン１を快適に装着することができる。
【００３１】
また、外周壁５の左右方向長さは、イヤホン１を装着者８の耳１７に装着した際に、後述の左右方向外側壁７が耳１７から大きく突出せず、ほぼ耳１７の輪郭１７ｄからは大きく突出しない長さに設定されており、傾斜面２０は、イヤホン１を耳１７に装着して耳１７を正面視した際に、その最も左右方向中心側から最も左右方向外側を連ねた仮想平面にほぼ収まるようになっているから、外観において違和感なく耳１７にしっくり装着された状態に観てとることができる。
【００３２】
さらに、前述のようにハート形状が側面視した際に傾いていないようにイヤホン１を耳１７に装着されると、傾斜面２０は、その後方が左右方向外方へ傾斜した状態となっており、一般的に耳１７もその全体を顔の正面側から観たとき、後方が左右上方向外方へ向けて傾斜している状態となるから、傾斜面２０の傾斜方向と耳１７の傾斜方向とがほぼ合致することになる。
【００３３】
これらのことから、イヤホン１を耳１７に装着した際に、外観上違和感がなく見栄えが向上する。さらに、傾斜面２０には装飾が施してあり、この場合、装飾として立体的なファッション・ジュエリー２５を散りばめてあり、この装飾は、側面側から観てとることができるが、傾斜面２０の後方が左右上方向外方へ向けて傾斜しているから、正面側からも観てとることができ、その分だけいっそう見栄えが向上する。
【００３４】
図６および図７は、イヤホン１の別の実施形態を示す図で、図６は正面図、図７は全体断面図である。このイヤホン１のイヤホン本体２はその左右方向外側部の形状が、半球形状とされており、イヤホン本体２の左右方向外側端面が前方ほど装着者８の中心側に傾斜する傾斜面２０とされている。しかも傾斜面２０は正面視して前方が装着者８の中心側に傾斜するよう形成している。
【００３５】
傾斜面２０の下端もしくはその近傍から中心側に位置ずれしてイヤホン本体２の左右方向内側にコード４の取付け部が左右方向外側下方に向けて斜め方向に取付けられている。この場合、傾斜面２０に、装飾としてクリスタルガラス等をダイヤモンドカットしたファッション・ジュエリー２５を散りばめている。イヤホン本体２の左右方向内側部は円筒状に形成されて、段付き部２ｂを介して左右方向外側部と組合わされている。
【００３６】
この実施形態におけるイヤホン本体２の正規姿勢とは、傾斜面２０の最も左右方向内側部位が前方に位置する姿勢である。そして装着時に、コード４の取付け部が耳１７における耳珠１７ａと耳垂１７ｂとの間の凹部１７ｃの側方に垂下するようにすれば、コード４の取付け部が左右方向外側下方に向けて斜め方向に取付けられているから、イヤホン１の装着時に装着者８の耳１７に接触するのをできるだけ回避することができ、装着時の不快感を回避できる。
【００３７】
また、イヤホン本体２の左右方向外側端面が前方ほど装着者８の中心側に傾斜する傾斜面２０とされているから、イヤホン１をイヤホン本体２が正規姿勢となるようにして耳１７に装着するようにすれば、傾斜面２０が耳１７の前後方向の傾斜に沿うようになり、外観上違和感がなく見栄えが向上するようになる。さらに、傾斜面２０は正面視して下方側が装着者８の中心側に傾斜するよう形成しているから、傾斜面２０が耳１７の上下方向の傾斜に沿うようになるから、この点の構成についても、見栄えの向上に寄与するようになる。他の構成は上記実施形態と同様であるので、同一の符号を付してその説明を省略する。そしてこの実施形態においても、上記実施形態と同様の作用効果を奏し得る。
【００３８】
図１ないし図５に示した実施形態において、イヤホン本体２の形状として、側面視してハート形状、クローバ形状等が考えられるが、何れにしても、コード４の取付け部を耳１７における耳珠１７ａと耳垂１７ｂとの間の凹部１７ｃの側方に垂下するようにして装着すれば、イヤホン本体２の側面視形状を直ちに把握できるようにイヤホン本体２とコード４との位置関係を設定しておけば、そのイヤホン本体２の形状を考慮することなく見栄えを良好にした上で楽に装着することができる。
【図面の簡単な説明】
【００３９】
【図１】本発明の実施形態を示すイヤホンの全体構成を示す斜視図
【図２】同じくイヤホンの全体構成を示す底面図
【図３】同じくイヤホンの縦断正面図
【図４】同じくイヤホンの側面図
【図５】同じくイヤホンの着用状態を示す斜視図
【図６】他の実施形態を示すイヤホンの正面図
【図７】同じくイヤホンの縦断正面図
【符号の説明】
【００４０】
１…イヤホン、２…イヤホン本体、２ａ…凹条、３…耳挿入部、４…コード、５…外周壁、６…左右方向内側壁、７…左右方向外側壁、８…装着者、１７…耳、１０…傾斜端面、１１…軸心、１３…装着具、１８…外耳道、２０…傾斜面、２２…壁体部、２３…左右方向外側縁、２４…接着剤層、２６…装着孔、２８…補強部材